(57)【要約】【課題】電力の消費を抑制しつつ原稿の有無を検出可能な画像読み取り装置を提供する。【解決手段】原稿送り部の開動作が検知された場合、補助電源部からの所定の制御部等に対する給電を開始する（ステップ１０２）。所定の制御部等とは、読み取り制御部、ランプ制御部、サイズ検出センサ制御部、ＣＣＤ制御部、エッジ検出部、およびメイン制御部である。次に、補助電源部からの給電を受けたメイン制御部は、開閉検知部からの出力に基づき原稿送り部が閉じられたか否かを判断する（ステップ１０３）。原稿送り部が閉じられたと判断された場合、原稿の有無検出処理が実行される（ステップ１０４）。そして、ステップ１０７にて節電モードの解除を受けつけた場合、メイン制御部は、それまで給電を停止していた主電源部からのユニット本体部内に配設された全ての制御部、処理部等に対する給電を開始する。【選択図】図３
2008022472.tif 000002
【特許請求の範囲】
【請求項１】
原稿が置かれる原稿台と、
前記原稿台に対して開閉可能に配設され、前記原稿台に置かれた原稿を押さえる押さえ部材と、
前記原稿台に対する前記押さえ部材の開閉動作を検知する検知手段と、
前記原稿台に置かれた原稿の画像を読み取る読み取り手段と、
前記原稿台上の原稿の有無を検出する有無検出手段と、
前記読み取り手段および前記有無検出手段に対する給電が行われていない状態で前記原稿台に対する前記押さえ部材の開動作または閉動作が前記検知手段により検知された場合に、当該有無検出手段に対して給電を行う第一の給電手段と、
前記原稿台に対する前記押さえ部材の開動作または閉動作が前記検知手段により検知された後所定の入力を受け付けた場合に前記読み取り手段および有無検出手段に対して給電を行う第二の給電手段と、
を含む画像読み取り装置。 
【請求項２】
前記有無検出手段により原稿の存在が検出された場合に当該原稿の存在を通知する通知手段を更に備えたことを特徴とする請求項１記載の画像読み取り装置。
【請求項３】
前記通知手段は、前記第二の給電手段による前記読み取り手段および有無検出手段に対する給電が停止される際に前記原稿の存在を通知することを特徴とする請求項２記載の画像読み取り装置。
【請求項４】
前記第二の給電手段による前記読み取り手段および前記有無検出手段に対する給電が停止される際、前記有無検出手段による検出結果を不揮発性メモリに格納する格納手段を更に備えたことを特徴とする請求項１記載の画像読み取り装置。
【請求項５】
前記第二の給電手段による前記読み取り手段および前記有無検出手段に対する給電が再開された際、前記不揮発性メモリから読み出された情報に基づき所定の通知を行う通知手段を更に備えたことを特徴とする請求項４記載の画像読み取り装置。
【請求項６】
原稿が置かれる原稿台と、
前記原稿台に対して開閉可能に配設され、前記原稿台に置かれた原稿を押さえる押さえ部材と、
前記原稿台に対する前記押さえ部材の開閉動作を検知する検知手段と、
前記原稿台上の状態を読み取った読み取り結果に基づいて原稿の有無を検出する有無検出手段と、
前記読み取り結果に対して所定の画像処理を施す処理手段と、
前記有無検出手段および前記処理手段への給電が停止された節電モードにおいて、前記原稿台に対する前記押さえ部材の開動作または閉動作が前記検知手段にて検知された場合に、前記処理手段に対しての給電を停止した状態で前記有無検出手段に対して給電を行う給電手段と、
を含む画像読み取り装置。
【請求項７】
前記処理手段は、前記読み取り結果に対してシェーディング補正を施し、
前記有無検出手段は、前記処理手段によるシェーディング補正が施されていない前記読み取り結果に基づいて原稿の有無を検出することを特徴とする請求項６記載の画像読み取り装置。
【請求項８】
前記処理手段は、前記有無検出手段により原稿の有無の検出がなされる際には前記給電手段による給電がなされていないことを特徴とする請求項７記載の画像読み取り装置。
【請求項９】
前記読み取り結果に基づき前記原稿台に置かれた原稿のサイズを検出するサイズ検出手段を更に備え、
前記処理手段は、前記読み取り結果に対してシェーディング補正を施し、
前記給電手段は、前記サイズ検出手段に給電を行い、
前記サイズ検出手段は、前記給電手段により給電が行われた前記処理手段にてシェーディング補正が施された前記読み取り結果に基づいて原稿のサイズを検出することを特徴とする請求項６記載の画像読み取り装置。
【請求項１０】
前記読み取り結果に基づき前記原稿台に置かれた原稿のサイズを検出するサイズ検出手段を更に備え、
前記有無検出手段に供される前記読み取り結果が取得される際の読み取り性能は、前記サイズ検出手段に供される当該読み取り結果が取得される際の読み取り性能よりも低いことを特徴とする請求項６記載の画像読み取り装置。
【請求項１１】
前記給電手段は、蓄電池を備え、
前記蓄電池の電力残量を把握する把握手段と、前記把握手段により把握された前記電力残量に応じて前記有無検出手段における検出モードを設定する設定手段と、を更に備えたことを特徴とする請求項６記載の画像読み取り装置。
【発明の詳細な説明】
【技術分野】
【０００１】
本発明は、複写機、ファクシミリ、スキャナなどに用いられる画像読み取り装置に関するものである。
【背景技術】
【０００２】
原稿台上に置かれた原稿の画像や、自動原稿送り装置が設けられこの自動原稿送り装置により送られてきた原稿の画像を読み取る画像読み取り装置が知られている。この画像読み取り装置においては、環境保護、省エネルギーの観点から、一定時間使用されない場合に電力の供給を停止し節電状態とする場合がある。
また、画像読み取り装置において、原稿台上に置かれた原稿を押さえるための圧板の開放や自動原稿送り装置への原稿のセットが検知された際に節電状態を解除するとともに、ＲＡＭから既に調整が行われた増幅率等を読み出しこの読み出された増幅率等を利用する技術が提案されている（例えば、特許文献１参照）。そして、本技術により不要な待ち時間を最小限にとどめて早期に画像読み取り等を行うことが可能となる。
【０００３】
【特許文献１】特開２００１−５３９３７号公報
【発明の開示】
【発明が解決しようとする課題】
【０００４】
ところで、原稿は、節電状態や電源がオフされた電源オフ状態において原稿台上にセットされる場合がある。このような状態下においては、原稿の有無を検出する検出部に対して電力が供給されていないために原稿が置かれたことを認識することができない。原稿の存在自体を認識することができないと、後に読み取り等の開始指示を受け付けたとしても原稿の存在自体が認識されていないためにサイズ検知も困難となり、読み取りが開始できなかったり開始された読み取りが中断したりする場合がある。このような不具合に対し、圧板の開放検知等により節電状態を解除し上記検出部に電力を供給する態様も考えられる。しかしながら、早期の画像読み取りを可能とするためには検出部以外の制御部や機構部に対しても電力を供給する必要があり、この場合消費電力が増大し省エネルギー等の観点からは好ましくないものとなる。
【０００５】
本発明は、以上の背景からなされたものであり、その目的とするところは、電力の消費を抑制しつつ原稿の有無を検出可能な画像読み取り装置を提供することにある。
【課題を解決するための手段】
【０００６】
かかる目的のもと、本発明が適用される画像読み取り装置は、原稿が置かれる原稿台と、原稿台に対して開閉可能に配設され、原稿台に置かれた原稿を押さえる押さえ部材と、原稿台に対する押さえ部材の開閉動作を検知する検知手段と、原稿台に置かれた原稿の画像を読み取る読み取り手段と、原稿台上の原稿の有無を検出する有無検出手段と、読み取り手段および有無検出手段に対する給電が行われていない状態で原稿台に対する押さえ部材の開動作または閉動作が検知手段により検知された場合に、有無検出手段に対して給電を行う第一の給電手段と、原稿台に対する押さえ部材の開動作または閉動作が検知手段により検知された後所定の入力を受け付けた場合に読み取り手段および有無検出手段に対して給電を行う第二の給電手段と、を有する。
【０００７】
ここで、有無検出手段により原稿の存在が検出された場合に原稿の存在を通知する通知手段を更に備えたことを特徴とすることができる。また、通知手段は、第二の給電手段による読み取り手段および有無検出手段に対する給電が停止される際に原稿の存在を通知することを特徴とすることができる。さらに、第二の給電手段による読み取り手段および有無検出手段に対する給電が停止される際、有無検出手段による検出結果を不揮発性メモリに格納する格納手段を更に備えたことを特徴とすることができる。また、第二の給電手段による読み取り手段および有無検出手段に対する給電が再開された際、不揮発性メモリから読み出された情報に基づき所定の通知を行う通知手段を更に備えたことを特徴とすることができる。
【０００８】
他の観点から捉えると、本発明が適用される画像読み取り装置は、原稿が置かれる原稿台と、原稿台に対して開閉可能に配設され、原稿台に置かれた原稿を押さえる押さえ部材と、原稿台に対する押さえ部材の開閉動作を検知する検知手段と、原稿台上の状態を読み取った読み取り結果に基づいて原稿の有無を検出する有無検出手段と、読み取り結果に対して所定の画像処理を施す処理手段と、有無検出手段および処理手段への給電が停止された節電モードにおいて、原稿台に対する押さえ部材の開動作または閉動作が検知手段にて検知された場合に、処理手段に対しての給電を停止した状態で有無検出手段に対して給電を行う給電手段と、を有する。
【０００９】
ここで、処理手段は、読み取り結果に対してシェーディング補正を施し、有無検出手段は、処理手段によるシェーディング補正が施されていない読み取り結果に基づいて原稿の有無を検出することを特徴とすることができる。また、処理手段は、有無検出手段により原稿の有無の検出がなされる際には給電手段による給電がなされていないことを特徴とすることができる。さらに、読み取り結果に基づき原稿台に置かれた原稿のサイズを検出するサイズ検出手段を更に備え、処理手段は、読み取り結果に対してシェーディング補正を施し、給電手段は、サイズ検出手段に給電を行い、サイズ検出手段は、給電手段により給電が行われた処理手段にてシェーディング補正が施された読み取り結果に基づいて原稿のサイズを検出することを特徴とすることができる。
【００１０】
また、読み取り結果に基づき原稿台に置かれた原稿のサイズを検出するサイズ検出手段を更に備え、有無検出手段に供される読み取り結果が取得される際の読み取り性能は、サイズ検出手段に供される読み取り結果が取得される際の読み取り性能よりも低いことを特徴とすることができる。さらに、給電手段は、蓄電池を備え、蓄電池の電力残量を把握する把握手段と、把握手段により把握された電力残量に応じて有無検出手段における検出モードを設定する設定手段と、を更に備えたことを特徴とすることができる。
【発明の効果】
【００１１】
請求項１記載の発明によれば、電力の消費を抑えつつ原稿の有無を検出可能な画像読み取り装置を提供することができる。
請求項２記載の発明によれば、原稿の取り忘れを抑制することができる。
請求項３記載の発明によれば、原稿の取り忘れを抑制することができる。
請求項４記載の発明によれば、給電が停止された後も原稿の有無に関する情報を保持しておくことが可能となり後にこの情報を利用することが可能となる。
請求項５記載の発明によれば、例えば、原稿送り装置等が使用されるために原稿の有無がユーザにより確認されない状況であっても原稿が取り忘れられていることをユーザに知らせることが可能となる。
【００１２】
請求項６記載の発明によれば、電力消費を抑えつつ原稿の有無を検出可能な画像読み取り装置を提供することができる。
請求項７記載の発明によれば、電力の消費を抑えることができる。
請求項８記載の発明によれば、電力の消費を抑えることができる。
請求項９記載の発明によれば、原稿のサイズを精度よく検出することが可能となる。
請求項１０記載の発明によれば、電力の消費を抑えることが可能となる。
請求項１１記載の発明によれば、電力残量に応じた適切な検出モードを設定することが可能となる。
【発明を実施するための最良の形態】
【００１３】
以下、添付図面を参照して、本発明の実施の形態について詳細に説明する。
図１は、画像読み取り装置を概略的に示した概略構成図である。本画像読み取り装置は、積載された原稿束から原稿を順次搬送する原稿送り部１０と、スキャンによって画像を読み取る読み取り部３０とから構成されている。なお、原稿送り部１０は、第１プラテンガラス３２Ａ上に置かれた原稿を押さえる押さえ部材としても機能する。
【００１４】
まず、原稿送り部１０は、複数枚の原稿からなる原稿束を積載する原稿積載部１１と、この原稿積載部１１の下方に設けられ読み取りが終了した原稿を積載する排紙部１２とを備える。また、原稿送り部１０は、原稿積載部１１の原稿を取り出して搬送する搬送ロール１３と、搬送ロール１３の原稿搬送方向下流側に設けられフィードロールおよびリタードロールによって用紙を一枚ずつに捌く捌き機構１４とを備えている。また、原稿が搬送される搬送路２１には、原稿搬送方向上流側から順に、プレレジロール１５、レジロール１６、プラテンロール１７、アウトロール１８、および排出ロール１９が設けられる。
プレレジロール１５は、一枚ずつに捌かれた原稿を下流側のロールに向けて搬送すると共に原稿のループ形成を行う。レジロール１６は、回転し一旦停止した後にタイミングを合わせて回転を再開し、下流側にレジストレーション調整を施しながら原稿を供給する。プラテンロール１７は、読み取り部３０にて読み込み中の原稿搬送をアシストする。アウトロール１８は、読み取り部３０にて読み込まれた原稿をさらに下流に搬送する。排出ロール１９は、アウトロール１８から搬送されてきた原稿を排紙部１２へ排出する。
【００１５】
一方、読み取り部３０は、原稿送り部１０によって搬送される原稿や、後述する第１プラテンガラス３２Ａ上に置かれる原稿の読み取りを行う。
読み取り部３０は、筐体を形成する装置フレーム３１を備え、この装置フレーム３１により原稿送り部１０を開閉可能に支持している。また、読み取り部３０は、原稿送り部１０の開閉を検知する不図示の開閉検知センサを備えている。
さらに読み取り部３０は、静止させた状態で原稿がセットされる原稿台としての第１プラテンガラス３２Ａ、原稿送り部１０によって搬送される原稿を読み取るための光の開口部を有する第２プラテンガラス３２Ｂを備えている。また、読み取り部３０は、第１プラテンガラス３２Ａ上における原稿が定形サイズであるか否かを検出する検出部の一例としてのサイズ検出センサ４１を備えている。このサイズ検出センサ４１は、後述するように第１プラテンガラス３２Ａ上における原稿の有無を検出するために用いることもできる。なお、このサイズ検出センサ４１は、例えば、発光素子及び受光素子から構成される。発光素子から光を照射し照射箇所からの反射光を受光素子で受光することで照射箇所における原稿の有無を検出する。
【００１６】
また、読み取り部３０は、第２プラテンガラス３２Ｂの下に静止し、あるいは第１プラテンガラス３２Ａの全体にわたってスキャンして画像を読み込むフルレートキャリッジ３３と、フルレートキャリッジ３３から得られた光を結像部へ供給するハーフレートキャリッジ３４とを備えている。フルレートキャリッジ３３には、原稿に光を照射する照明ランプ３３ａと、原稿から得られた反射光を受光するミラー３３ｂとが設けられている。
さらに、読み取り部３０は、結像用レンズ３８およびＣＣＤ(Charge Coupled Device)イメージセンサ３９を備えている。結像用レンズ３８は、得られた光学像を光学的に縮小する。また、ＣＣＤイメージセンサ３９は、結像用レンズ３８によって結像された光学像を光電変換する。なお、図示は省略するが、このＣＣＤイメージセンサ３９は、Ｒ（赤）、Ｇ（緑）、Ｂ（青）の３色用の１次元のラインセンサが３列一組で配置されて構成されており、各色毎に１ライン分を同時に処理している。各ラインセンサは、フォトダイオードＰＤを主走査方向にｎ個直線上に並べた構成となっている。
【００１７】
また、読み取り部３０は、制御・画像処理ユニット４０を備えている。制御・画像処理ユニット４０は、原稿送り部１０および読み取り部３０の駆動制御を行い、また読み取り部３０によって読み込まれた画像信号を処理する。
さらに、読み取り部３０は、第１プラテンガラス３２Ａ上に原稿が残っている場合に、警告音を発しユーザに対し取り除かれていない原稿についての所定の通知を行うブザー４２を備えている。
また、読み取り部３０は、ユーザによる各種情報の入力や各種設定を受け付けるとともにユーザに対して所定の情報を表示するコントロールパネル４３を備えている。このコントロールパネル４３には、不図示の節電モードボタンが設けられており、ユーザによる押圧を受け付けることで節電モード／非節電モードの切換が可能となっている。さらに、コントロールパネル４３には、スタートボタン（不図示）が設けられており、ユーザによる押圧を受け付けることで、読み取り（スキャン）が開始される。さらに、読み取り部３０には、メインスイッチ４４が設けられている。ユーザによる操作を受け付けることで、後述する主電源部７０（図２参照）から各部への電力供給がオンオフされる。
【００１８】
次に、読み取り部３０に設けられた制御・画像処理ユニット４０について詳細に説明する。
図２は、制御・画像処理ユニット４０の機能構成を説明するためのブロック図である。本ブロック図を図１とともに説明する。同図に示す制御・画像処理ユニット４０は、ユニット本体部５１と、時間管理部５２とから構成される。
ユニット本体部５１には、補助電源部６０と、開閉検知部６１と、読み取り制御部６２とが設けられている。また、ユニット本体部５１には、ランプ制御部６３と、サイズ検出センサ制御部６４と、ＣＣＤ制御部６５と、エッジ検出部６６と、メイン制御部６７と、残量把握部６８と、通知制御部６９とが設けられている。
また、ユニット本体部５１には、さらに主電源部７０と、シェーディング補正部７１と、ＧＡＰ補正部７２と、フィルタ処理部７３と、画像処理部７４と、モータ制御部７５と、ＦＡＮ制御部７６と、節電モード受付部７７と、オプション基板制御部７８と、コントロールパネル受付部７９と、メインスイッチ受付部８０とが設けられている。
【００１９】
第１の給電手段の一例としての補助電源部６０は、主電源部７０からの電力供給を受けるとともに充電可能な蓄電池である。従って、補助電源部６０は、メインスイッチ４４がオフ状態であり、主電源部７０からの電力供給が無い場合であっても独立して電力供給が可能である。補助電源部６０は、開閉検知部６１により原稿送り部１０の開動作が検知された際に、制御・画像処理ユニット４０内に設けられた複数の制御部等のうちの一部に対して電力供給を行う。具体的には、補助電源部６０は、読み取り制御部６２、ランプ制御部６３、サイズ検出センサ制御部６４、ＣＣＤ制御部６５、エッジ検出部６６、およびメイン制御部６７へ電力の供給を行う。
【００２０】
開閉検知部６１は、上記読み取り部３０に設けられた不図示のセンサからの出力を受け原稿送り部１０の開閉を検知する。また、開閉検知部６１は、スイッチ機能を備えている。開閉検知部６１は、後述する節電モード状態、電源オフ状態において原稿送り部１０の開動作を検知した場合に、スイッチ機能をオンすることで補助電源部６０から読み取り制御部６２等への電力供給を開始する。なお、上記開閉検知部６１および不図示のセンサに対しては原稿送り部１０の開閉の有無にかかわらず補助電源部６０から電力が供給されており、節電状態または電源オフ状態であっても原稿送り部１０の開閉動作を検知可能となっている。
【００２１】
読み取り制御部６２は、クロック制御部、ライン同期信号制御部およびページ同期信号制御部としての機能を備え、ＣＣＤイメージセンサ３９（図１参照）による読み取りが行われる際のタイミング、周期などを制御する。
クロック制御部は、画像読み取り動作の基準となるクロックを発生する。このクロックは、ライン同期信号制御部およびページ同期信号制御部に出力される。このクロックの周期は、後述するライン周期に対し十分に小さい値に設定される。
【００２２】
また、ライン同期信号制御部は、ライン同期信号を発生する。このライン同期信号は、ＣＣＤイメージセンサ３９が原稿の主走査方向１ライン分の画像データを取得する周期（ライン周期）毎に瞬間的にアサートされる。そして、本実施の形態ではクロック発生部から入力されるクロックのカウント値が所定の設定値と一致する毎にライン同期信号がアサートされるようになっている。
さらに、ページ同期信号制御部は、ページ同期信号を発生する。このページ同期信号は、読み取り対象となる原稿１枚分の読み取り期間だけアサートされる。そして、本実施の形態では、フルレートキャリッジ３３による読み取り位置が第１プラテンガラス３２Ａの端部に到達したときにページ同期信号をアサートし、この時点から計数が開始されるライン同期信号のカウント値が所定の設定値と一致したときにページ同期信号をネゲートしている。
【００２３】
ランプ制御部６３は、フルレートキャリッジ３３に設けられた照明ランプ３３ａの点灯制御を行う。また、サイズ検出センサ制御部６４は、読み取り部３０に設けられたサイズ検出センサ４１の動作制御を行う。さらに、ＣＣＤ制御部６５は、読み取り部３０に設けられたＣＣＤイメージセンサ３９の制御を行う。また、エッジ検出部６６は、ＣＣＤイメージセンサ３９により読み取られた画像データに基づいて原稿のエッジ（端部）検出を行う。
メイン制御部６７は、読み取り部３０に設けられた各種制御部等の制御等を行うＣＰＵ（Central Processing Unit）６７ａと、所定の処理を行うためのプログラムが予め記録されたＲＯＭ（Read Only Memory）６７ｂと、各種データを一時的に記憶しておくＲＡＭ（Random Access Memory）６７ｃと、電力供給がない場合であってもデータを記憶可能なＮＶＭ（Non Volatile Memory、不揮発性メモリ）６７ｄとを備えている。
残量把握部６８は、補助電源部６０における電力の残量を把握する。把握された残量情報は、メイン制御部６７に提供される。通知制御部６９は、ブザー４２や、コントロールパネル４３における表示機能の制御を行う。
【００２４】
なお、本実施形態においては、読み取り制御部６２、ランプ制御部６３、ＣＣＤ制御部６５、エッジ検出部６６、およびメイン制御部６７により有無検出手段が構成される。
また、本実施形態においては、読み取り制御部６２、ランプ制御部６３、ＣＣＤ制御部６５、エッジ検出部６６、およびメイン制御部６７によりサイズ検出手段が構成される。
さらに、メイン制御部６７、通知制御部６９およびブザー４２等により通知手段が構成される。また、メイン制御部６７および残量把握部６８により把握手段が構成される。
【００２５】
第２の給電手段の一例としての主電源部７０は、電力の供給を要する全ての制御部等および補助電源部６０に対し電力を供給する。補助電源部６０が一部の制御部等に電力を供給するのに対し、主電源部７０は読み取り部３０の全体に対し電力を供給する。
シェーディング補正部７１は、予め記憶されたシェーディングデータに基づき、ＣＣＤイメージセンサ３９にて読み取られた画像データに対してシェーディング補正を施す。
ＧＡＰ補正部７２は、シェーディング補正部７１から出力された画像データに対して所定の補正処理を施す。具体的には、Ｒ、Ｇ、Ｂの３色用に３列一組で構成されたラインセンサの副走査方向における位置のずれに起因してＲ、Ｇ、Ｂの各画像データ間に生じる読み取り時間差を補正する。
フィルタ処理部７３は、ＧＡＰ補正部７２から出力された画像の鮮鋭度を調整する。
画像処理部７４は、フィルタ処理部７３からの出力に対して所定の画像処理を施す。具体的には、例えば、入力されてくる画像信号に対して拡大・縮小、平滑化、コントラスト調整、地肌除去、および２値化等を行う。画像処理部７４からの出力は、例えばプレンタ等の画像出力装置や、コンピュータ等のホストシステムへ出力される。
【００２６】
モータ制御部７５は、フルレートキャリッジ３３やハーフレートキャリッジ３４を駆動させるモータ（不図示）や、原稿送り部１０に設けられた搬送ロール１３等を駆動させるモータ（不図示）の駆動制御を行う。ＦＡＮ制御部７６は、読み取り部３０内部の冷却を行うファン（不図示）の駆動制御を行う。節電モード受付部７７は、コントロールパネル４３上に設けられた節電モードボタン（不図示）における入力を受け付ける。なお、この節電モード受付部７７には、節電モードにある場合であってもユーザからの節電解除を受け付けるため主電源部７０からの電力供給がなされている。
オプション基板制御部７８は、本画像読み取り装置にオプションを付加するオプション基板が設けられた場合に、このオプション基板の制御を行う。コントロールパネル受付部７９は、コントロールパネル４３に対してユーザからの入力があった場合に、このユーザからの入力を受け付ける。メインスイッチ受付部８０は、メインスイッチ４４に対するユーザの操作を受け付ける。
【００２７】
なお、本実施形態においては、メイン制御部６７、読み取り制御部６２、ランプ制御部６３、ＣＣＤ制御部６５、およびモータ制御部７５等により読み取り手段が構成される。
また、本実施形態においては、シェーディング補正部７１、ＧＡＰ補正部７２、フィルタ処理部７３、および画像処理部７４により処理手段が構成される。
一方、時間管理部５２は、内部に現在時刻を把握可能な時計機能を有している。また、所定の基準時からの経過時間をカウントするカウント機能を有している。
【００２８】
次に、具体的な処理手順について説明するが、本実施形態における画像読み取り装置においては、原稿が第１プラテンガラス３２Ａ上に置かれる際の電力の供給状態に関し次のような状態が考えられる。
まず、メインスイッチ４４がオフ状態とされた電源オフ状態、および、メインスイッチ４４がオン状態とされた電源オン状態が考えられる。さらに、電源オン状態の場合には、節電モードボタン（不図示）の押圧等により主電源部７０からの電力供給が停止されている節電モード状態と、節電モード状態ではなく通常どおり主電源部７０から電力供給がなされている非節電モード状態とが考えられる。即ち、原稿が第１プラテンガラス３２Ａ上に置かれる際の電力の供給状態として、（１）節電モード状態、（２）電源オフ状態、（３）非節電モード状態の３態様が挙げられる。
【００２９】
ところで、上記節電モード状態や電源オフ状態から立ち上がり後すぐに読み取りを行えることは、ユーザの満足度を向上させるカギである。しかしながら、節電モードが解除または電源がオンされスタートボタンが押圧された場合に、読み取り動作が開始しない場合がある。その理由は、上記のとおり、節電モードの解除前や電源がオンされる前に原稿が置かれた場合、原稿が置かれたことを認識できず、原稿のサイズを検知することができないからである。
このような状態から読み取りを行わせる場合、サイズの検出のためのサイズ入力や原稿送り部１０の再開閉およびスタートボタン（不図示）の最押圧をユーザに強いることになる。この結果、ユーザ満足度を低下させてしまう。
さらに、原稿が置かれたことを認識できないと、そのまま原稿が置き忘れられてしまった場合に、原稿の取り忘れに関する警告（コーション）を行うことができない。
そこで、本実施形態においては、このような不具合の発生を抑制するため、上記（１）〜（３）の態様において次のような処理を行っている。
【００３０】
まず、（１）節電モード状態から実行される処理について説明する。
図３は、節電モード状態において原稿送り部１０が操作された場合に実行される処理を示したフローチャートである。本フローチャートを図１、図２とともに説明する。
まず、開閉検知部６１は、原稿送り部１０の開動作があるか否かを検知する（ステップ１０１）。原稿送り部１０の開動作を検知しなかった場合は、ステップ１０１に戻る。
【００３１】
一方、原稿送り部１０の開動作が検知された場合、開閉検知部６１は、開閉検知部６１自身が有するスイッチ機能をオンすることで、補助電源部６０からの所定の制御部等に対する給電を開始する（ステップ１０２）。なお、この所定の制御部等とは、読み取り制御部６２、ランプ制御部６３、サイズ検出センサ制御部６４、ＣＣＤ制御部６５、エッジ検出部６６、およびメイン制御部６７である。この電力供給により第１プラテンガラス３２Ａ上の原稿の有無検出を行うことが可能となる。なお、詳細は後述するがこのステップ１０２においては補助電源部６０における電力量の残量把握等も行っている。
【００３２】
次に、補助電源部６０からの給電を受けたメイン制御部６７は、開閉検知部６１からの出力に基づき原稿送り部１０が閉じられたか否かを判断する（ステップ１０３）。原稿送り部１０が閉じられていないと判断された場合は、ステップ１０３に戻る。一方、原稿送り部１０が閉じられたと判断された場合、原稿の有無検出処理が実行される（ステップ１０４）。具体的には、メイン制御部６７は、ランプ制御部６３に照明ランプ３３ａの点灯動作を行わせ、また、ＣＣＤ制御部６５にＣＣＤイメージセンサ３９による読み取りを行わせる。その後、メイン制御部６７は、エッジ検出部６６にＣＣＤイメージセンサ３９にて読み取られた読み取りデータに対するエッジ検出処理を実行させる。そして、メイン制御部６７は、エッジ検出部６６における検出結果に基づき原稿の有無を認識する。より具体的には、メイン制御部６７は、エッジ検出部６６においてエッジが検出された場合に原稿が存在すると認識し、エッジが検出されなかった場合に原稿は存在しないと認識する。なお、上記ＣＣＤイメージセンサ３９による読み取りは、所定のサンプリング数および所定周期のライン同期信号にて行われる。
【００３３】
また、ステップ１０４において行われる読み取りの際に、メイン制御部６７は、ＣＣＤイメージセンサ３９による読み取りに加えて、サイズ検出センサ制御部６４を介しサイズ検出センサ４１に対しても検出を行わせることができる。サイズ検出センサ４１による検出結果はＲＡＭ６７ｃに格納される。なお、ステップ１０４にて読み取りが行われる際、フルレートキャリッジ３３は、第１プラテンガラス３２Ａ下方の所定位置に停止した状態にある。その後、メイン制御部６７は、ステップ１０４にて実行された原稿の有無検出処理の処理結果に基づき、原稿の有無を判断する（ステップ１０５）。なお、ステップ１０５において、メイン制御部６７は、エッジの検出処理の結果に変えてサイズ検出センサ４１による検出結果に基づいて原稿の有無を判断することができる。また、メイン制御部６７は、エッジ検出処理の処理結果にサイズ検出センサ４１による検出結果を加えて原稿の有無を判断することができる。
【００３４】
ステップ１０５にて原稿が存在すると判断された場合、メイン制御部６７におけるＣＰＵ６７ａは、原稿の存在情報をＲＡＭ６７ｃに格納する（ステップ１０６）。なお、この原稿存在情報とは、例えば、原稿が存在するとの情報や、ステップ１０５において原稿の有無を判断した際の判断時刻が挙げられる。なお、この判断時刻は、ＣＰＵ６７ａにより時間管理部５２から取得される。
一方、ステップ１０５にて原稿が存在しないと判断された場合、メイン制御部６７は、補助電源部６０からの読み取り制御部６２等に対する給電を停止させ（ステップ１１５）、処理を終了する。
次に、メイン制御部６７は、節電モード受付部７７を介して節電モードの解除を受け付ける（ステップ１０７）。そして、ステップ１０７にて節電モードの解除を受けつけた場合、メイン制御部６７は、それまで給電を停止していた主電源部７０からのユニット本体部５１内に配設された全ての制御部、処理部等に対する給電を開始する。また、ステップ１０７にて節電モードの解除を受け付けた場合、メイン制御部６７は、補助電源部６０からの読み取り制御部６２等に対する給電を停止するとともに、主電源部７０からの補助電源部６０に対する充電を開始する。
【００３５】
なお、上記においては、ステップ１０２において電力の供給を開始した補助電源部６０は、ステップ１０７において節電モードが解除されるまで、読み取り制御部６２等に給電を行っていたが、補助電源部６０は、ステップ１０４における原稿の有無検出処理が終了した後は読み取り制御部６２等への給電を停止することもできる。
即ち、メイン制御部６７は、ステップ１０４ｃ（図５参照）にて原稿の有無を認識した後、補助電源部６０からの読み取り制御部６２、ランプ制御部６３、サイズ検出センサ制御部６４、ＣＣＤ制御部６５、およびエッジ検出部６６に対する給電を停止することができる。
次に、原稿のサイズ検出処理が実行される（ステップ１０８）。具体的には、メイン制御部６７は、ランプ制御部６３に照明ランプ３３ａの点灯動作を行わせ、また、ＣＣＤ制御部６５にＣＣＤイメージセンサ３９を用いての読み取りを行わせる。その後、メイン制御部６７は、この読み取られたデータに基づいて原稿のサイズを決定する。上記読み取りは、所定のサンプリング数および所定周期のライン同期信号で行われる。なお、ステップ１０８における処理については後述する。
【００３６】
ところで、ステップ１０８においては、主電源部７０から電力供給がなされているため、電力量不足等が生じるおそれはないが、ステップ１０４においては蓄電池で構成された補助電源部６０により電力供給がなされる。このため、ステップ１０４における読み取りにおいては、消費電力を抑えることが望ましい。
このため、本実施形態においてはステップ１０４にて読み取りが行われる際の読み取り性能を、ステップ１０８にて読み取りが行われる際の読み取り性能よりも低下させている。
具体的には、ステップ１０４にて読み取りが行われる際に照明ランプ３３ａから照射される光の照射光量を、ステップ１０８にて読み取りが行われる際に照明ランプ３３ａから照射される光の照射光量よりも少なくなるように設定している。また、ステップ１０４にて読み取りが行われる際のサンプリング数を、ステップ１０８にて読み取りが行われる際のサンプリング数よりも少なくなるように設定している。さらに、ステップ１０４にて読み取りが行われる際のライン同期信号の周期を、ステップ１０８にて読み取りが行われる際のライン同期信号の周期よりも長くなるように設定している。なお、これらの設定を行うかどうかはＮＶＭ６７ｄで指定することができる。
【００３７】
次に、メイン制御部６７は、コントロールパネル受付部７９を介してスキャンの開始を受け付けた場合に、読み取り制御部６２、ランプ制御部６３、ＣＣＤ制御部６５、モータ制御部７５等にスキャンを実施させ、原稿上の画像読み取りを行わせる（ステップ１０９）。具体的には、メイン制御部６７は、モータ制御部７５に不図示のモータを駆動させることでフルレートキャリッジ３３およびハーフレートキャリッジ３４を副走査方向に移動させることでスキャン動作を実行させ原稿の読み取りを行わせる。
読み取られた画像データは、シェーディング補正部７１、ＧＡＰ補正部７２、フィルタ処理部７３、および画像処理部７４にて所定の処理が施され、例えばプリンタ等の画像出力装置や、コンピュータ等のホストシステムへ出力される。
そして、ステップ１０９において行われたスキャン動作から所定時間経過した後に、メイン制御部６７は、原稿が第１プラテンガラス３２Ａ上から除去されたか否かを判断する（ステップ１１０）。
【００３８】
原稿が取り除かれていないと判断された場合、即ち、ＲＡＭ６７ｃに原稿存在情報がある場合、メイン制御部６７は、通知制御部６９に警告音の発生を行わせる（ステップ１１１）。この警告音の発生は、ブザー４２により行われる。なお、この警告音に換えて、またはこの警告音に加えて、メイン制御部６７は、通知制御部６９にコントロールパネル４３における所定の表示を行わせることもできる。その後、メイン制御部６７は、原稿が第１プラテンガラス３２Ａ上から除去されたか否かを再度判断する（ステップ１１２）。
なお、ステップ１１０およびステップ１１２における原稿除去の判断は、例えば、読み取り部３０に設けられた原稿送り部１０の開閉を検知するセンサ（不図示）からの出力により行うことができる。例えば、このセンサにより原稿送り部１０の開動作が検知された場合に、メイン制御部６７は、原稿が取り除かれたと判断することができる。また、例えば、ステップ１０４、１０５における動作を再度実行することでも原稿の除去の判断を行うことができる。さらに、サイズ検出センサ４１を動作させ、サイズ検出センサ４１からの出力に基づいて、メイン制御部６７は原稿の有無を判断することもできる。このように、サイズ検出センサ４１等によっても原稿有無検出手段を構成することができる。
【００３９】
ステップ１１０又はステップ１１２にて原稿が除去されたと判断された場合、メイン制御部６７におけるＣＰＵ６７ａは、ステップ１０６にてＲＡＭ６７ｃに格納された原稿存在情報をクリアする（ステップ１１６）。そして、その後の所定時間内に所定の操作が行われなかった場合、メイン制御部６７は、主電源部７０からの各制御部等に対する給電を停止することで節電モード状態とし（ステップ１１４）、処理を終了する。
一方、ステップ１１２において原稿が除去されていないと判断された場合、格納手段の一例としてのＣＰＵ６７ａは、ＲＡＭ６７ｃに格納された原稿存在情報をＮＶＭ６７ｄに格納する（ステップ１１３）。なお、この原稿存在情報は、再度節電モードが解除される場合等に利用される。その後、メイン制御部６７は、主電源部７０からの各制御部等に対する給電を停止することで節電モード状態とし（ステップ１１４）、処理を終了する。
【００４０】
次に、上記で説明した処理についてより詳細に説明する。
まず、ステップ１０２における処理について説明する。
図４は、ステップ１０２にて実行される処理を示したフローチャートである。順に説明すると、ステップ１０１（図３参照）にて開閉検知部６１が原稿送り部１０の開動作を検知した場合、上記のとおり開閉検知部６１は、補助電源部６０からの読み取り制御部６２等に対する給電を開始する（ステップ１０２ａ）。次に、メイン制御部６７は、残量把握部６８を介して補助電源部６０における電力の残量を把握する（ステップ１０２ｂ）。そして、設定手段の一例としてのメイン制御部６７は、把握された電力の残量に基づいて原稿の有無を検出する際の検出モードを設定する（ステップ１０２ｃ）。より詳細には、メイン制御部６７は、読み取りモードや読み取りデータの処理モードを設定する。
【００４１】
ところで、補助電源部６０は、蓄電池により構成されているため保持できる電力量に限度がある。このため、保持されている電力量を考慮せずに読み取り等を行うと、電力量不足のために読み取り等が不可能となったり、読み取り等は可能であるものの電力を著しく消費してしまったりするおそれがある。一方で、補助電源部６０における電力量が十分確保されている場合は、各制御部に対して十分電力を供給することが可能であり、読み取り等の精度を向上させることも可能である。このため、上記のように補助電源部６０における電力量を把握した上で読み取りモード等を設定する構成としている。
【００４２】
ステップ１０２ｃにて設定されるモードとしては、例えば、ステップ１０４（図３参照）にてＣＣＤイメージセンサ３９により読み取りが行われる際のサンプリング数が挙げられる。サンプリング数を減らせば電力消費を減らすことができ、サンプリング数を増やせば読み取り精度を向上させることができる。
また、例えば、ライン同期信号がアサートされる間隔、即ちライン同期信号が立ち上がる周期間隔が挙がられる。ライン同期信号の周期間隔を長くすれば所定時間内における画像の読み取り回数が減少するため消費電力を抑えることができる。一方、周期間隔を短くすれば画像の読み取り回数が増加するため読み取り精度を向上させることができる。
なお、メイン制御部６７は、ステップ１０２ｃにて設定される上記モードのうち最も電力消費量の少ないモードの組み合わせを選択することもできる。
【００４３】
次に、ステップ１０４における処理について詳細に説明する。
図５は、ステップ１０４にて実行される処理を示したフローチャートである。ステップ１０４においては、次の処理が行われる。
まず、開閉検知部６１にて原稿送り部１０の閉動作が検知されると、この検知結果を受けたメイン制御部６７は、読み取り制御部６２、ＣＣＤ制御部６５等に第１プラテンガラス３２Ａ上の読み取り処理を開始させる（ステップ１０４ａ）。そして、メイン制御部６７は、エッジ検出部６６にＣＣＤイメージセンサ３９により読み取られた読み取りデータに対してのエッジ検出処理を実行させる（ステップ１０４ｂ）。その後、メイン制御部６７は、エッジ検出処理の結果に基づいて原稿の有無を認識する（ステップ１０４ｃ）。
【００４４】
ところで、ステップ１０４ａにて読み取られた読み取りデータに対してシェーディング補正を行い、シェーディング補正後のデータに対してエッジ検出処理を行うこともできる。即ち、上記ステップ１０２（図３参照）にて補助電源部６０からシェーディング補正部７１に対しても電力供給をすることで、読み取りデータに対しシェーディング補正することが可能となる。シェーディング補正後のデータに対してエッジ検出処理を行えばエッジ検出処理の精度を向上させることができる
ところが、シェーディング補正を行うとエッジ検出の際の精度を向上させることができるもののその分電力消費量が増すという問題がある。特に、蓄電池としての補助電源部６０から電力を供給するような場合消費電力はより小さくすることが望ましくなる。また、ステップ１０５における原稿の有無判断においては、ある程度の精度で読み取りデータが取得されていればその判断を行うことは可能である。そこで、本フローチャートにおいては、シェーディング補正部７１に電力供給をせずに、即ちシェーディング補正を施さずに原稿の有無を判断することとしている。なお、シェーディング補正を行うか否かはＮＶＭ６７ｄで指定することができる。
【００４５】
次に、ステップ１０８における処理について詳細に説明する。
図６は、ステップ１０８にて実行される処理を示したフローチャートである。
まず、メイン制御部６７は、ステップ１０７（図３参照）にて節電モードの解除を受け付けた後、主電源部７０からのシェーディング補正部７１を含む全ての制御部等に対する給電を開始する（ステップ１０８ａ）。なお、この給電が開始される際には、メイン制御部６７は、読み取り制御部６２等への電力の供給源を補助電源部６０から主電源部７０へと切り換える。
その後、メイン制御部６７は、ＣＣＤ制御部６５にＣＣＤイメージセンサ３９による第１プラテンガラス３２Ａ上の読み取りを開始させる（ステップ１０８ｂ）。読み取られた画像データは、シェーディング補正部７１に出力される。次に、シェーディング補正部７１は、入力されてきた画像データに対してシェーディング補正を実行し（ステップ１０８ｃ）、エッジ検出部６６に出力する。その後、エッジ検出部６６は、シェーディング補正後のデータに基づいてエッジの検出処理を行い（ステップ１０８ｄ）、検出結果をメイン制御部６７に出力する。
【００４６】
メイン制御部６７は、入力されてきた検出結果に基づき、具体的には検出されたエッジの位置に基づき原稿のサイズを決定する（ステップ１０８ｅ）。なお、このサイズ検出の際には、サイズ検出センサ４１により取得されたデータを加えて原稿のサイズを決定することもできる。
ところで、原稿のサイズ検出を行う際には、原稿の有無検出に比べ精度が要求される。このため、シェーディング補正後のデータに基づいてサイズ検出を行うことが望ましい。この場合に、補助電源部６０から電力が供給されたシェーディング補正部７１にてシェーディング補正を施すことも考えられるが、上記のとおり補助電源部６０から電力を供給する場合、消費電力は小さくなる方が好ましい。このため、本実施形態においては、主電源部７０から電力が供給されたシェーディング補正部７１にてシェーディング補正を行っている。
【００４７】
次に、（２）電源オフ状態から実行される処理について説明する。
図７は、電源オフ状態において原稿送り部１０が操作された場合に実行される処理を示したフローチャートである。本フローチャートを図１、図２とともに説明する。なお、基本的な処理は、上述の処理と同様であるため異なる処理を中心に説明する。
まず、ステップ２０１〜ステップ２０６、ステップ２１６における処理は、図３で示したステップ１０１〜ステップ１０６、ステップ１１５における処理と同様である。このため、ステップ２０７以降について説明する。
【００４８】
メインスイッチ４４がユーザにより操作されメインスイッチ４４がオンされると（ステップ２０７）、このメインスイッチ４４のオンをメインスイッチ受付部８０が受け付ける。そして、このメインスイッチ受付部８０からの出力を受け付けたメイン制御部６７は、主電源部７０からのシェーディング補正部７１等を含む全ての制御部等に対する給電を開始する。その後、メイン制御部６７は、原稿のサイズ検出処理を実行する（ステップ２０８）。なお、このステップ２０８においては、図６で示した処理と同様の処理が実行される。その後、メイン制御部６７は、ＣＣＤ制御部６５等に対しスキャンを実施させ、原稿上の画像読み取りを行わせる（ステップ２０９）。
なお、図３における処理においては、節電モードで終了する態様を示したが、本実施形態においてはメインスイッチ４４が操作され電源がオフされる場合の処理について説明する。
ステップ２０９にてスキャン終了後、メインスイッチ４４がユーザにより操作され電源オフが選択された場合、メイン制御部６７は、メインスイッチ受付部８０を通じてメインスイッチ４４がオフされたことを受け付ける（ステップ２１０）。
【００４９】
その後、図３で示した処理と同様の処理が行われる。即ち、メイン制御部６７は、第１プラテンガラス３２Ａ上における原稿が除去されたか否かを判断する（ステップ２１１）。原稿が除去されていないと判断された場合、メイン制御部６７は、通知制御部６９に警告音の発生等を行わせる（ステップ２１２）。そして、メイン制御部６７は、再度原稿が除去されたかの判断を行う（ステップ２１３）。ステップ２１３においても原稿の除去が確認されない場合、ＣＰＵ６７ａは、ＲＡＭ６７ｃにおける原稿存在情報をＮＶＭ６７ｄに格納する（ステップ２１４）。一方、ステップ２１１、ステップ２１３にて原稿が除去されたと判断された場合、ＣＰＵ６７ａは、ＲＡＭ６７ｃにおける原稿存在情報をクリアする（ステップ２１７）。その後、メイン制御部６７は、主電源部７０からの各制御部等に対する給電を停止する（ステップ２１５）。
【００５０】
次に、（３）非節電モード状態から実行される処理について説明する。
図８は、非節電モード状態において原稿送り部１０が操作された場合に実行される処理を示したフローチャートである。本フローチャートを図１、図２とともに説明する。なお、基本的な処理は、上述の処理と同様であるため異なる点を中心に説明する。また、非節電モードにおいては、主電源部７０から制御・画像処理ユニット４０に設けられた全ての制御部等に電力が供給されている状態にある。
この状況下において、まずメイン制御部６７は、原稿送り部１０が閉じられたか否かを判断し（ステップ３０１）、閉じられたと判断された場合に、メイン制御部６７は、原稿の有無検出処理を実行する（ステップ３０２）。なお、詳細は後述するが、このステップ３０２においては、節電モードおよび電源オフ状態における処理と異なる処理を行っている。また、図３等における処理においては、原稿送り部１０の開動作により補助電源部６０から読み取り制御部６２等に対し電力供給処理を行っていたが、本処理においては、主電源部７０からの電力供給が既になされているため、このような処理は省略される。
【００５１】
次に、メイン制御部６７は、原稿の有無を判断する（ステップ３０３）。原稿が存在しないと判断されその後所定時間内に所定の操作が何ら行われなかった場合、メイン制御部６７は、節電モード状態とし（ステップ３１１）、処理を終了する。一方、原稿が存在すると判断された場合、ＣＰＵ６７ａは、原稿存在情報をＲＡＭ６７ｃに格納する（ステップ３０４）。そして、メイン制御部６７は、原稿のサイズ検出処理を実行する（ステップ３０５）。その後、メイン制御部６７は、ＣＣＤ制御部６５等に対しスキャンを実施させ（ステップ３０６）、原稿上の画像読み取りを行わせる。
【００５２】
その後、メイン制御部６７は、原稿が除去されたか否かを判断し（ステップ３０７）、除去されていないと判断した場合は、通知制御部６９に警告音の発生等を行わせる（ステップ３０８）。そして、メイン制御部６７は、再度原稿が除去されたか否かを判断する（ステップ３０９）。ステップ３０９においても原稿が除去されていないと判断された場合、ＣＰＵ６７ａは、ＲＡＭ６７ｃの原稿存在情報をＮＶＭ６７ｄに格納する（ステップ３１０）。その後、メイン制御部６７は、節電モード状態とする（ステップ３１１）。一方、ステップ３０７、ステップ３０９にて原稿が除去されたと判断された場合、ＣＰＵ６７ａは、ＲＡＭ６７ｃの原稿存在情報をクリアする（ステップ３１２）。その後所定の操作が所定時間行われなかった場合、メイン制御部６７は節電モード状態とする（ステップ３１１）。
【００５３】
ここで、ステップ３０２における処理を詳細に説明する。
図９は、ステップ３０２にて行われる処理を示したフローチャートである。
非節電モードにおいては、主電源部７０からシェーディング補正部７１に対して電力の供給が既になされているため、図５で示した処理とは異なる処理が実行される。
まず、ステップ３０１（図８参照）にて原稿送り部１０が閉じられたと判断されると、メイン制御部６７は、ＣＣＤ制御部６５にＣＣＤイメージセンサ３９による読み取りを行わせる（ステップ３０２ａ）。ＣＣＤイメージセンサ３９により読み取られた読み取りデータはシェーディング補正部７１に出力され、シェーディング補正部７１はこの読み取りデータに対してシェーディング補正を実行する（ステップ３０２ｂ）。
【００５４】
そして、シェーディング補正後の読み取りデータは、エッジ検出部６６に出力され、エッジ検出部６６は、エッジの検出処理を実行する（ステップ３０２ｃ）。その後、ＣＰＵ６７ａは、エッジ検出処理の処理結果をＲＡＭ６７ｃに格納する（ステップ３０２ｄ）。そして、メイン制御部６７はエッジ検出処理の処理結果に基づき原稿の有無を認識する（ステップ３０２ｅ）。
本処理においては、上記のとおり主電源部７０からシェーディング補正部７１に対して電力が供給されているため、図５で説明した処理とは異なり、シェーディング補正が実行された後、シェーディング補正後のデータに対してエッジ検出処理が実行され原稿の有無が認識される。また、ステップ３０５（図８参照）においては、ステップ３０２ｄにてＲＡＭ６７ｃに格納されたシェーディング補正後の読み取りデータを読み出し、このデータに基づいて原稿のサイズ検出が実行される。
【００５５】
以上、原稿送り部１０が開閉される場合に実行される処理について説明したが、次に原稿の取り忘れをユーザに対し通知する際の処理を説明する。
図１０は、節電モードが解除される場合に実行される処理を示したフローチャートである。
ところで、第１プラテンガラス３２Ａ上に原稿が置き忘れられた場合、通常原稿送り部１０により第１プラテンガラス３２Ａは覆われている状態にあることから、原稿が忘れられていることを外部から認識することができない。
【００５６】
また、近年では自動原稿送り装置を用いた画像読み取り装置が増えている。自動原稿送り装置を用いて読み取りを行う場合に、プラテンガラス（本実施形態でいう第１プラテンガラス３２Ａに相当）に原稿を搬送する方式ではなく、別搬送路用い上記プラテンガラスとは異なる部分（本実施形態でいう第２プラテンガラス３２Ｂに相当）で流し読む方式が多く採用されている。このような場合、自動原稿送り装置を開けなくても原稿の読み取りが可能となる。このため、プラテンガラス上に原稿が置き忘れられていてもこの原稿の存在が気付かれない場合がある。このため、原稿がプラテンガラス上に何日もの間放置されずっと忘れられたままになってしまうケースが近年増加している。そこで、本実施形態においては原稿送り部１０の開動作が無くても、置き忘れられている原稿に関する通知を行うようにしている。以下、詳細に説明する。
【００５７】
まず、メイン制御部６７は、節電モード受付部７７を介して節電モードが解除されたか否かを判断する（ステップ４０１）。解除されていないと判断した場合、ステップ４０１に戻る。一方、節電モードが解除されたと判断された場合、メイン制御部６７は、開閉検知部６１を通じて節電モード解除後の所定時間内に原稿送り部１０の開動作があるか否かを判断する（ステップ４０２）。原稿送り部１０の開動作があると判断された場合、処理を終了する。なお、処理を終了するのは、原稿送り部１０が開けられた場合には、第１プラテンガラス３２Ａ上における原稿の有無がユーザにより把握されるため、仮に原稿が残っていたとしてもユーザにより除去されるためである。
【００５８】
一方で、原稿送り部１０の開動作が所定時間内に無いと判断された場合、読み出し手段の一例としてのＣＰＵ６７ａが、ＮＶＭ６７ｄからデータの読み出し処理を行う（ステップ４０３）。次いで、メイン制御部６７は、読み出されたデータに原稿存在情報があるか否かを判断する（ステップ４０４）。そして、原稿存在情報が存在しないと判断された場合、処理を終了する。一方、原稿存在情報があると判断された場合は、メイン制御部６７は、まず時間管理部５２から現在時刻を把握する（ステップ４０５）。
そして、原稿存在情報に原稿が第１プラテンガラス３２Ａ上に置かれた日時（原稿の存在を認識した日時や、原稿の存在を判断した日時）が含まれる場合は、メイン制御部６７は、この日時（時間情報）を取得するとともに、現在時刻に基づき経過時間に関する情報を取得する（ステップ４０６）。なお、この経過時間に関する情報としては、例えば、上記原稿が第１プラテンガラス３２Ａ上に置かれた日時や、この日時から現在までの経過時間などが挙げられる。
【００５９】
その後、メイン制御部６７は、通知制御部６９に、原稿の存在および経過時間に関する
コントロールパネル４３上へ表示を行わせる（ステップ４０７）。単に原稿の存在だけを通知する場合、ユーザはその原稿がいつから置き忘れられていたかを把握することができない。そこで、本実施形態においては、ステップ４０７において経過時間に関する情報を通知することとしている。
なお、このステップ４０７においては、ブザー４２により所定の警告を発することも可能である。また、本フローチャートでは、節電モードが解除される場合について説明したが、電源がオンされる場合は、ステップ４０１において電源がオンされたか否かが判断される。
【図面の簡単な説明】
【００６０】
【図１】画像読み取り装置を概略的に示した概略構成図である。
【図２】制御・画像処理ユニットの機能構成を説明するためのブロック図である。
【図３】節電モード状態において原稿送り部が操作された場合に実行される処理を示したフローチャートである。
【図４】ステップ１０２にて実行される処理を示したフローチャートである。
【図５】ステップ１０４にて実行される処理を示したフローチャートである。
【図６】ステップ１０８にて実行される処理を示したフローチャートである。
【図７】電源オフ状態において原稿送り部が操作された場合に実行される処理を示したフローチャートである。
【図８】非節電モード状態において原稿送り部が操作された場合に実行される処理を示したフローチャートである。
【図９】ステップにて行われる処理を示したフローチャートである。
【図１０】節電モードが解除される場合に実行される処理を示したフローチャートである。
【符号の説明】
【００６１】
１０…原稿送り部、３２Ａ…第１プラテンガラス、４２…ブザー、６０…補助電源部、６１…開閉検知部、６２…読み取り制御部、６３…ランプ制御部、６５…ＣＣＤ制御部、６６…エッジ検出部、６７…メイン制御部、６７ａ…ＣＰＵ、６７ｄ…ＮＶＭ、６８…残量把握部、６９…通知制御部、７０…主電源部、７１…シェーディング補正部、７２…ＧＡＰ補正部、７３…フィルタ処理部、７４…画像処理部、７５…モータ制御部
【図１】
2008022472.tif 000003
【図２】
2008022472.tif 000004
【図３】
2008022472.tif 000005
【図４】
2008022472.tif 000006
【図５】
2008022472.tif 000007
【図６】
2008022472.tif 000008
【図７】
2008022472.tif 000009
【図８】
2008022472.tif 000010
【図９】
2008022472.tif 000011
【図１０】
2008022472.tif 000012